(57)【特許請求の範囲】
【請求項１】
洗剤を収容する容器本体、容器本体内に収容された洗剤を吐出する吐出口、被洗浄物支持台からなり、吐出口と被洗浄物支持台との間に被洗浄物を保持できるように被洗浄物支持台が吐出口に対向して設けられ、吐出口が、被洗浄物に接触することにより開口して洗剤を吐出し、被洗浄物から離れると閉じる自己閉鎖弁、又は被洗浄物に摺接することにより洗剤を吐出し、被洗浄物から離れると吐出を止めるローラからなり、被洗浄物支持台の吐出口に対向する面の吐出口の外周部に対応する位置に凸部が設けられている洗剤の塗布容器。
【請求項２】
吐出口が容器本体から突出した容器先端部材の被洗浄物支持台に対向する側面に設けられ、被洗浄物支持台の一端が前記容器先端部材の基部に回動可能に取り付けられている請求項１記載の塗布容器。
【請求項３】
吐出口と被洗浄物支持台との間に保持された被洗浄物が前記容器先端部材の側面に押し付けられるように、被洗浄物支持台が付勢されている請求項２記載の塗布容器。
【請求項４】
被洗浄物支持台に把持部が連設され、把持部を容器本体に押し付けることにより、吐出口と被洗浄物支持台との間に保持された被洗浄物が前記容器先端部材の側面に押し付けられる請求項２記載の塗布容器。
【発明の詳細な説明】
【０００１】
【発明の属する技術分野】
本発明は、洗剤の塗布容器、特に、被洗浄物を洗濯機で洗う前に、襟、袖口等の汚れのひどい箇所に予め洗剤を塗布する場合に役立つ洗剤の塗布容器に関する。
【０００２】
【従来の技術】
衣類等の被洗浄物の洗濯方法として、まず、襟、袖口等の汚れのひどい箇所に、プレ洗剤と称される洗剤を塗布し、その後に洗濯機で洗うことがなされている。
【０００３】
このような洗剤の塗布方法としては、洗濯機の蓋、洗面台等を塗布台としてそこに被洗浄物を広げ、被洗浄物に洗剤容器の吐出口を押し当てて洗剤を吐出させ、こすり広げることがなされている。
【０００４】
【発明が解決しようとする課題】
しかしながら、一般家庭では、通常、洗濯機上のスペースや洗面台が狭いので、上述した洗剤の塗布方法では被洗浄物を広げにくく、また、平坦な箇所が少ないために洗剤を塗布しにくい。さらに、洗剤の塗布後には、塗布台として用いた洗濯機の蓋、洗面台等がべたつくという問題がある。
【０００５】
これに対し、本発明は、塗布台を使用することなく、容易に洗剤を被洗浄物に塗布することのできる塗布容器を提供することを目的とする。
【０００６】
【課題を解決するための手段】
本発明者は、洗剤の容器の吐出口に対向するように被洗浄物支持台を該プレ洗剤の容器に取り付け、吐出口と被洗浄物支持台とで被洗浄物を挟み、保持できるようにすると、洗濯機の蓋、洗面台等を塗布台として使用することなく、簡便に洗剤を塗布できることを見出した。
【０００７】
即ち、本発明は、洗剤を収容する容器本体、容器本体内に収容された洗剤を吐出する吐出口、被洗浄物支持台からなり、吐出口と被洗浄物支持台との間に被洗浄物を保持できるように被洗浄物支持台が吐出口に対向して設けられ、吐出口が、被洗浄物に接触することにより開口して洗剤を吐出し、被洗浄物から離れると閉じる自己閉鎖弁、又は被洗浄物に摺接することにより洗剤を吐出し、被洗浄物から離れると吐出を止めるローラからなり、被洗浄物支持台の吐出口に対向する面の吐出口の外周部に対応する位置に凸部が設けられている洗剤の塗布容器を提供する。
【０００８】
【発明の実施の形態】
以下、本発明を図面を参照しつつ詳細に説明する。なお、各図中、同一符号は同一又は同等の構成要素を表している。
【０００９】
図１は、本発明の一実施例の塗布容器１Ａの断面図（ａ）、吐出口付近の正面図（ｂ）及び被洗浄物支持台の作用を表す断面図（ｃ）である。
【００１０】
この塗布容器１Ａは、洗剤を収容する容器本体２、容器本体２内の口部２ａに螺合する容器先端部材３、容器先端部材３に対向する位置に設けられた被洗浄物支持台４Ａ、及び容器先端部材３と被洗浄物支持台４Ａの上に着脱自在に被さるキャップ５からなっている。
【００１１】
容器本体２は上部に口部２ａを有し、その内部には、例えば、粘度１００〜１０００ｍＰａ・ｓの高粘度のプレ洗剤、漂白剤等が収容される。
【００１２】
容器先端部材３は平坦な側面３ａを有し、そこに洗剤の吐出口６が設けられている。吐出口６は、それが被洗浄物に接触することにより開口し、被洗浄物から離れると閉じる自己閉鎖弁７からなっている。この自己閉鎖弁７としては、例えば、シリコーン樹脂を山型に成型し、中央部にスリット７ａを入れ、この山型部分を押すことによりスリット７ａが変形して隙間があくようにした弁体を設けることができる。
【００１３】
被洗浄物支持台４Ａは、その一端に形成されている取り付け部位８が、容器先端部材３の基部に取り付けられ、その取り付け部位８を中心として矢印Ａ（図１（ｃ））のように回動可能となっている。また、被洗浄物支持台４Ａは、吐出口６に対向する面が平坦に形成されているが、被洗浄物支持台４Ａを吐出口６側に押し付けたときに、被洗浄物支持台４Ａが直接吐出口６と接触することによって吐出口６が開口することのないように、被洗浄物支持台４Ａの吐出口６に対向する面の吐出口６の外周部に対応する位置に、凸部９が設けられている。
【００１４】
キャップ５は、図１（ａ）に示すように、被洗浄物支持台４Ａを吐出口６側に最も押し付けた状態で、容器先端部材３と被洗浄物支持台４Ａの上から被さり、キャップ５の内壁と容器先端部材３と被洗浄物支持台４Ａの外周壁とが螺合し、吐出口６が塗布容器１Ａの外部からシールされるように形成されている。
【００１５】
図２は、上述の塗布容器１Ａの使用方法の説明図である。この塗布容器１Ａを用いて衣類等の被洗浄物Ｓにプレ洗剤あるいは漂白剤等を塗布する場合、キャップ５を外し、容器本体２を握り、容器先端部材３と被洗浄物支持台４Ａとの間に被洗浄物Ｓを挟むように保持する。被洗浄物支持台４Ａを吐出口６側に押し付けると、被洗浄物Ｓが吐出口６に押し付けられ、吐出口６が開口し、吐出口６からプレ洗剤等が吐出される。この状態で、容器先端部材３と被洗浄物支持台４Ａとで被洗浄物Ｓを挟む位置をずらすと、それに応じて被洗浄物Ｓでのプレ洗剤等の塗布領域を広げることができる。したがって、この塗布容器１Ａを使用すると、洗濯機の蓋や洗面台等を塗布台として使用することなく、任意の場所で容易にプレ洗剤等を被洗浄物Ｓに塗布することができ、例えば、蓋を開けた洗濯槽上で衣類にプレ洗剤等を塗布し、そのまま洗濯槽内に被洗浄物を投入することができる。
【００１６】
被洗浄物Ｓにプレ洗剤等を塗布した後は、容器先端部材３と被洗浄物支持台４Ａとの間から被洗浄物Ｓを抜き取る。これにより吐出口６が閉じるので、洗剤の不要な吐出を防止することができる。また、キャップ５を、容器先端部材３と被洗浄物支持台４Ａの上から嵌め、容器先端部材３と被洗浄物支持台４Ａに螺合させることにより、吐出口６から容器本体２外へ洗剤が液漏れすることを確実に防止できる。
【００１７】
本発明は、種々の態様をとることができる。例えば、容器先端部材３と被洗浄物支持台４Ａとで被洗浄物Ｓを挟んだ場合に、確実に被洗浄物Ｓを吐出口６に押し付けられるように、被洗浄物支持台４Ａの取り付け部位８にバネ材を配し、被洗浄物支持台４Ａが容器先端部材３の側面３ａ方向に付勢されるようにしてもよい。
【００１８】
また、図３に示す塗布容器１Ｂのように、被洗浄物支持台４Ａに把持部１０を連接し、把持部１０と容器本体２を同時に握り、把持部１０を容器本体２に矢印Ｂのように押し付けることにより、被洗浄物支持台４Ａが、矢印Ｃのように容器先端部材３の側面３ａに押し付けられるようにしてもよい。このように把持部１０を設けると、随時、被洗浄物を容器先端部材３と被洗浄物支持台４Ａとで強く挟むことができるので、より確実に被洗浄物を保持することができ、また、被洗浄物の所望の部位にスポット的にプレ洗剤等を塗布することも容易となる。
【００２２】
本発明の塗布容器において、吐出口６の形成態様は、上述の自己閉鎖弁７を使用した態様、あるいは自己閉鎖弁を使用することなく開口部から形成した態様に限らず、例えば、図４に示す塗布容器１Ｅのように、吐出口６にローラ１１を設けてもよい。これにより、被洗浄物が吐出口６に強く押圧されても、プレ洗剤等を被洗浄物の所定領域に塗布することができる。
【００２６】
【発明の効果】
本発明の塗布容器によれば、プレ洗剤等の洗剤を、塗布台を使用することなく、容易に被洗浄物に塗布することが可能となる。
【図面の簡単な説明】
【図１】  本発明の塗布容器の断面図（ａ）、吐出口付近の正面図（ｂ）及び被洗浄物支持台の作用を表す断面図（ｃ）である。
【図２】  本発明の塗布容器の使用方法の説明図である。
【図３】  本発明の塗布容器の異なる態様の断面図である。
【図４】  本発明の塗布容器の異なる態様の断面図である。
【符号の説明】
１Ａ、１Ｂ、１Ｅ 塗布容器
２ 容器本体
３ 容器先端部材
３ａ 容器先端部材の側面
４Ａ 被洗浄物支持台
５ キャップ
６ 吐出口
７ 自己閉鎖弁
８ 被洗浄物支持台の取り付け部位
１０ 把持部
Ｓ 被洗浄物
【図１】
0004600634.tif 000002
【図２】
0004600634.tif 000003
【図３】
0004600634.tif 000004
【図４】
0004600634.tif 000005